(57)【特許請求の範囲】
【請求項１】
長尺棒の一端部に鞘管がねじ込まれ、該鞘管が函体の上蓋における長孔にスライド自在に設けられたことを特徴とするセパレータ。
【請求項２】
コンクリート板の裏面上部に函体を設け、該函体の上蓋における長孔に鞘管をスライド自在に設け、該鞘管が設置されたコンクリート板の裏面には緩衝材が設けられたことを特徴とするカーテンウォール。
【請求項３】
コンクリート板の裏面上部に凹部を設け、該凹部の上蓋における長孔に鞘管をスライド自在に設け、該鞘管が設置されたコンクリート板の裏面には緩衝材が設けられたことを特徴とするカーテンウォール。
【請求項４】
構造物の上下の梁間に、請求項２または請求項３のカーテンウォールが設置され、該カーテンウォールの裏面における鞘管に、上部の梁におけるセパレータが取り付けられたことを特徴とするカーテンウォールの取付構造。
【請求項５】
カーテンウォールは横長にして取り付けられたことを特徴とする請求項４に記載のカーテンウォールの取付構造。
【発明の詳細な説明】
【０００１】
【発明の属する技術分野】
本発明はセパレータおよびカーテンウォールならびにその取付構造に関するものである。
【０００２】
【従来の技術】
鉄骨鉄筋コンクリート構造物の上下の梁間には、図９の（１）に示すように、プレキャストコンクリート製のカーテンウォール２８が緩衝材２９を介して取り付けられている。このカーテンウォール２８は、同図の（２）に示すように、上部が梁型枠３０の側板３１として利用されるため、鞘管３４に挿入されたセパレータ３２で側板３１間相互の間隔が保持されている。このセパレータ３２は、カーテンウォール２８の層間変位に追随させるため、梁型枠３０内にコンクリート３３が打設された後に鞘管３４から引き抜かれ、この鞘管３４内には無収縮モルタル３５が充填される（同図の（３）参照）。
【０００３】
【発明が解決しようとする課題】
しかし、型枠内にコンクリートが打設された後に上記のセパレータは引き抜かれ、該セパレータが引き抜かれた鞘管内には無収縮モルタルが充填されていた。
【０００４】
本発明はこれらの問題に鑑みてなされたものであり、その目的は、余分な作業をせずに設置することができ、かつ層間変位に追随できるセパレータおよびカーテンウォールならびにその取付構造を提供することである。
【０００５】
【課題を解決するための手段】
以上の課題を解決するための本発明のセパレータの要旨は、長尺棒の一端部に鞘管がねじ込まれ、該鞘管が函体の上蓋における長孔にスライド自在に設けられたことを特徴とする。
【０００６】
またカーテンウォールの要旨は、コンクリート板の裏面上部に函体を設け、該函体の上蓋における長孔に鞘管をスライド自在に設け、該鞘管が設置されたコンクリート板の裏面には緩衝材が設けられたことを特徴とする。
またカーテンウォールの要旨は、コンクリート板の裏面上部に凹部を設け、該凹部の上蓋における長孔に鞘管をスライド自在に設け、該鞘管が設置されたコンクリート板の裏面には緩衝材が設けられたことを特徴とする。
【０００７】
またカーテンウォールの取付構造の要旨は、構造物の上下の梁間に、コンクリート板の裏面上部に函体を設け、該函体の上蓋における長孔に鞘管をスライド自在に設け、該鞘管が設置されたコンクリート板の裏面には緩衝材が設けられてなるカーテンウォールが設置され、該カーテンウォールの裏面における鞘管に、上部の梁におけるセパレータが取り付けられたことを特徴とする。また上記のカーテンウォールは横長にして取り付けられたことを含むものである。
またカーテンウォールの取付構造の要旨は、構造物の上下の梁間に、コンクリート板の裏面上部に凹部を設け、該凹部の上蓋における長孔に鞘管をスライド自在に設け、該鞘管が設置されたコンクリート板の裏面には緩衝材が設けられてなるカーテンウォールが設置され、該カーテンウォールの裏面における鞘管に、上部の梁におけるセパレータが取り付けられたことを特徴とする。また上記のカーテンウォールは横長にして取り付けられたことを含むものである。
【０００８】
カーテンウォールの層間変位に追随できるセパレータを提供することができる。梁型枠内にコンクリートを打設した後のセパレータの引き抜き作業や、鞘管内への無収縮モルタルの充填作業が省略できるため工期を短縮することができる。スライド自在な鞘管にねじ込まれたセパレータが横方向にスライドすることにより、カーテンウォールが層間変位に追随できる。またカーテンウォールを縦長または横長にして設置した場合でも、カーテンウォールが層間変位に追随することができる。
【０００９】
【発明の実施の形態】
以下、本発明のセパレータおよびカーテンウォールならびにその取付構造の実施の形態を図面に基づいて説明する。はじめにセパレータの実施の形態について説明し、その後にカーテンウォールと、カーテンウォールの取付構造（以下、取付構造という）について説明する。この場合、各実施の形態において同じ構成は同じ符号を付して説明し、異なった構成にのみ異なった符号を付して説明する。
【００１０】
図１はセパレータ１を示したものであり、このセパレータ１は長尺棒２の先端に鞘管３がねじ込まれ、該鞘管３が函体４にスライド自在に取り付けられている。この鞘管３は、同図の（２）および（３）に示すように、函体４の上蓋５における長孔６に設置され、楕円形の座金７によって長孔６からの引き抜けと、その場における空転とができないようになっている。また函体４内にコンクリートが入らないように長孔６がゴムシート８で被覆されている。よって鞘管３は長尺棒２のねじ込みと、長孔６に沿ったスライドとが可能になっている。また函体４には後述するカーテンウォールに設置するためのボルト９が設置されている。
【００１１】
図２は第１の実施の形態のカーテンウォール１０を示したものである。このカーテンウォール１０はプレキャストコンクリート製であり、コンクリート板１１の裏面上部に、鞘管３を備えた函体４がボルト９で設置され、この函体５の設置された個所にスタイロフォームやロックウールなどの緩衝材１２が設けられている。この鞘管３は、図１に示すものと同じ構成であり、長尺棒２のねじ込みと、長孔６に沿ったスライドとが可能になっている。
【００１２】
また図３は第２の実施の形態のカーテンウォール１３を示したものである。このカーテンウォール１３はコンクリート板１１裏面の凹部１４における蓋体１５の長孔６に鞘管３が設けられたものであり、これ以外は第１の実施の形態のカーテンウォール１０と同じ構成である。このように本発明は鞘管３がスライドできる構成であれば、上記のような長孔６に限定されるものではない。
【００１３】
なお、上記の実施の形態においてカーテンウォール１０、１３はプレキャストコンクリート製のもの、すなわちＰＣカーテンウォールであるが、これはＰＣカーテンウォールに限らず、その他のカーテンウォールを使用することもできる。
【００１４】
図４および５は第１の実施の形態の取付構造を示したものである。この取付構造は、鉄骨鉄筋コンクリート構造物１６の上下の梁１７、１８間に上記のカーテンウォール１０を縦長にして設置したものである。このカーテンウォール１０は、図４に示すように、上部がスタイロフォームやロックウールなどの緩衝材１２を介して梁１７に取り付けられ、該梁１７のセパレータ１が鞘管３にねじ込まれている。このセパレータ１は鞘管３が函体４の上蓋５における長孔６をスライドできるようになっているため、図５に示すように、カーテンウォール１０の層間変位に追随することができる。
【００１５】
また図６は第２の実施の形態の取付構造を示したものである。この取付構造は上下の梁１７、１８間にカーテンウォール１０を横長にして設置したものであり、これ以外は第１の実施の形態の取付構造と同じ構成で、同じ効果を奏するものである。
【００１６】
次に、図７および８に基づいて第１の実施の形態のカーテンウォール１０の取付方法について説明する。この方法は鉄骨鉄筋コンクリート構造物１６の上下の梁１７、１８間にカーテンウォール１０を縦長にして取り付けたものである（図４参照）。
【００１７】
はじめに、図７に示すように、工場で製作されたカーテンウォール１０を現場に搬入し、上下の鉄骨梁１７、１８間に立て掛けて支保工１９で支持する。次に、カーテンウォール１０の上部がロッキングできるように取付ボルト２０を連結材２１の長孔（図示せず）に差し込むとともに、上側のカーテンウォール２２の下部をファスナー２３で支持材２４に固定する。このようにして設置されたカーテンウォール１０は梁型枠２５の側板２６となってスライド自在な鞘管３を突出している。
【００１８】
次に、図８に示すように、残りの部分を組み立てて梁型枠２５を形成した後、セパレータ１を鞘管３にねじ込んで側板２６間に設置する。そして、この梁型枠２５内にコンクリート２７を打設し、これが硬化した後に脱型すると、図４に示すような取付構造になる。すなわち、鞘管３にねじ込まれたセパレータ１が横方向にスライド自在なため、カーテンウォール１０の層間変位に追随できるようになる。
【００１９】
なお、図６に示すように、カーテンウォール１０を横長にして設置する場合も上記と同じ取付方法で行う。
【００２０】
【発明の効果】
カーテンウォールの層間変位に追随できるセパレータを提供することができる。
【００２１】
梁型枠内にコンクリートを打設した後のセパレータの引き抜き作業や、鞘管内への無収縮モルタルの充填作業が省略できるため工期を短縮することができる。
【００２２】
鞘管が長孔をスライドするので、カーテンウォールが層間変位に追随できる。
【００２３】
カーテンウォールを縦長または横長にして設置した場合でも、層間変位に追随することができる。
【図面の簡単な説明】
【図１】（１）は鞘管を備えたセパレータの平面図、（２）は（１）のＡ−Ａ線断面図、（３）は（１）のＢ−Ｂ線断面図である。
【図２】第１の実施の形態のカーテンウォールを示し、（１）はカーテンウォールの正面図、（２）は（１）の一部省略断面図、（３）は鞘管の断面図である。
【図３】第２の実施の形態のカーテンウォールを示し、（１）は鞘管を備えたカーテンウォールの背面図、（２）は（１）の一部省略断面図である。
【図４】第１の実施の形態の取付構造を示し、（１）は鉄骨鉄筋コンクリート構造物の正面図、（２）は（１）の一部省略断面図である。
【図５】カーテンウォールの層間変位に追随するセパレータの概念図である。
【図６】第２の実施の形態の取付構造の正面図である。
【図７】（１）は第１の実施の形態のカーテンウォールの取付方法を示す断面図、（２）は鞘管の一部省略断面図である。
【図８】（１）は第１の実施の形態のカーテンウォールを使用して組み立てた梁型枠の断面図、（２）はセパレータをねじ込んだ鞘管の断面図である。
【図９】従来の取付構造を示し、（１）は鉄骨鉄筋コンクリート構造物の正面図、（２）および（３）はカーテンウォールの取付方法を示す断面図である。
【符号の説明】
１、３２  セパレータ
２  長尺棒
３、３４  鞘管
４  函体
５  上蓋
６  長孔
７  座金
８  ゴムシート
９  ボルト
１０、１３、２２、２８  カーテンウォール
１１  コンクリート板
１２、２９  緩衝材
１４  凹部
１５  蓋体
１６  コンクリート構造物
１７、１８  梁
１９  支保工
２０  取付ボルト
２１  連結材
２３  ファスナー
２４  支持材
２５  梁型枠
２６、３１  側板
２７、３３  コンクリート
３５  無収縮モルタル
【図１】
0004104842.tif 000002
【図２】
0004104842.tif 000003
【図３】
0004104842.tif 000004
【図４】
0004104842.tif 000005
【図５】
0004104842.tif 000006
【図６】
0004104842.tif 000007
【図７】
0004104842.tif 000008
【図８】
0004104842.tif 000009
【図９】
0004104842.tif 000010